(57)【要約】【課題】  狭い空間内で容易に操作可能なロック機構を備えるスライドレールアセンブリを提供すること。【解決手段】  スライドレールアセンブリ（２０）は第１のレール（２２）、係合部材（２４）、第２のレール（２６）及びロック部材（２８）を含む。係合部材（２４）は第１のレール（２２）に配置され、弾性部（４６）を含む。第２のレール（２６）は第１のレール（２２）に対して可動である。ロック部材（２８）は第２のレール（２６）に可動に取り付けられる。第１の位置にある第２のレール（２６）が、第１のレール（２２）に対して第２の位置へと第１の方向に移動した場合、ロック部材（２８）は、第２の位置にある第２のレール（２６）が第２の方向に動くのを防止するために係合部材（２４）の弾性部（４６）に固定される。【選択図】  図１
2020182821.tif 000002
【特許請求の範囲】
【請求項１】
第１のレールと、
前記第１のレールに配置される係合部材であって、該係合部材は弾性部を含む、係合部材と、
前記第１のレールに対して可動な第２のレールと、
前記第２のレールに可動に取り付けられるロック部材と、
を含むスライドレールアセンブリであって、
前記第２のレールが前記第１のレールに対して第１の位置から第２の位置へと第１の方向に移動した場合、前記第２の位置にある前記第２のレールが前記第１の方向と反対の第２の方向に動くのが防止されるように前記ロック部材が前記係合部材の弾性部に固定される、スライドレールアセンブリ。
【請求項２】
前記第１のレールは第１の壁と、第２の壁と、前記第１のレールの第１の壁及び第２の壁の間に接続された長手壁とを含み、前記係合部材の弾性部は、前記第１のレールの長手壁に対して高さを有する、請求項１に記載のスライドレールアセンブリ。
【請求項３】
前記係合部材は、前記第１のレールの長手壁に取り付けられる第１の接続部及び第２の接続部をさらに含み、前記弾性部は該第１の接続部と該第２の接続部との間に接続され、
前記係合部材は第１のガイド部及び第２のガイド部をさらに含み、前記弾性部の一端は、該第１のガイド部を介して前記第１の接続部に接続され、前記弾性部の他端は、該第２のガイド部を介して前記第２の接続部に接続される、請求項１又は２に記載のスライドレールアセンブリ。
【請求項４】
前記第２のレールに対して可動な第３のレールと、前記第２のレールに配置される操作部材とをさらに含み、
前記第２のレールが前記第２の位置にある場合、前記操作部材は、前記ロック部材が前記係合部材の弾性部に固定されないように前記係合部材の弾性部を駆動するために操作される、請求項１乃至３のいずれか一項に記載のスライドレールアセンブリ。
【請求項５】
前記第２のレールに配置される操作部材、同期部材及び第３のレールをさらに含み、
前記同期部材は前記第２のレールに可動に取り付けられ、前記第３のレールは前記第２のレールに対して可動であり、前記第３のレールは前記同期部材を介して前記第２のレールを前記第１の位置から前記第２の位置に駆動でき、前記第３のレールは前記同期部材と係合するための対応部を有し、
前記第２のレールが所定の範囲で駆動されると、前記同期部材は、前記第３のレール及び前記第２のレールが同期的に動かないように前記係合部材の弾性部に隣接する前記第１のガイド部を介して駆動され、前記第２のレールが前記第２の位置にある場合、前記操作部材は、前記ロック部材が前記係合部材の弾性部に固定されないように前記係合部材の弾性部を駆動するよう操作される、請求項３又は４に記載のスライドレールアセンブリ。
【請求項６】
前記ロック部材及び前記同期部材は前記第２のレールに枢結され、
前記スライドレールアセンブリは、前記第２のレールに取り付けられる弾性部材をさらに含み、
前記弾性部材は、前記ロック部材に弾性力を提供する第１の弾性脚と、前記同期部材に弾性力を提供する第２の弾性脚とを有する、請求項５に記載のスライドレールアセンブリ。
【請求項７】
前記第１のレールはブロック部をさらに含み、
前記第２のレールが前記第１のレールに対して所定の位置にある場合、前記第２の弾性脚は、前記同期部材が前記ブロック部によりブロックされるように前記同期部材に弾性力を提供でき、それにより前記所定の位置にある前記第２のレールが前記第１の方向に動くのが防止される、請求項６に記載のスライドレールアセンブリ。
【請求項８】
前記第２のレールはブロック構造を含み、
前記スライドレールアセンブリは前記第３のレールに可動に取り付けられる作用部材をさらに含み、
前記第２のレールが前記第２の位置にあり、前記第３のレールが前記第２のレールに対して伸長位置へと前記第１の方向に動かされた場合、前記作用部材は第１の状態にあり、前記第３のレールが前記第１の方向に移動するのを防止するために前記ブロック構造の一方側に位置する、請求項５乃至７のいずれか一項に記載のスライドレールアセンブリ。
【請求項９】
前記作用部材を前記第１の状態で維持する弾性力を提供する弾性部を有するベースと、前記作用部材に接続される解除部材とをさらに含み、
前記解除部材は、前記伸長位置にある前記第３のレールが前記第１の方向に移動し前記第２のレールから取り外すことができるように前記作用部材を前記第１の状態から第２の状態に駆動するためのものである、請求項８に記載のスライドレールアセンブリ。
【請求項１０】
前記ロック部材及び前記同期部材は、共通軸を介して前記第２のレールに枢結されている、請求項５乃至９のいずれか一項に記載のスライドレールアセンブリ。
【発明の詳細な説明】
【技術分野】
【０００１】
本発明はスライドレールに関し、より具体的には、狭い空間内に適用できるスライドレールアセンブリであって、スライドレールアセンブリを解放するために容易に操作可能なロック機構を２つのレールの間に備えたスライドレールアセンブリに関する。
【背景技術】
【０００２】
特許文献１には、第１のレール、第２のレール、第３のレール、ロック機構、ブロック部及び操作部材を含むスライドレールアセンブリが開示されている。第２のレールは、（特許文献１の図１０に示すように）第２のレールが伸長位置にある場合にロック機構を介して第１のレールのブロック部にロックすることができる。さらに、ロック機構のロック部材は、第１のレールのブロック部へのロック機構のロックを解除するために、操作部材に加えられる力を介して駆動できる。第１のレールに固定取り付けられるか又は形成された突出構造はブロック部の一例を示すものである。
【先行技術文献】
【特許文献】
【０００３】
【特許文献１】米国特許第１００４１５３５号明細書
【特許文献２】米国特許第１０２４４８６８号明細書
【特許文献３】米国特許第９９９２９０６号明細書
【特許文献４】米国特許第９６８１７４９号明細書
【特許文献５】米国特許第９６２９４５９号明細書
【特許文献６】米国特許第８５８５１６４号明細書
【発明の概要】
【発明が解決しようとする課題】
【０００４】
しかしながら、市場の需要は変化しているため、異なるスライドレール製品を開発することが重要な課題となっている。
【０００５】
上記に鑑み、本発明は、狭い空間内で容易に操作可能なロック機構を備えるスライドレールアセンブリを提供することを目的とする。ロック機構はスライドレールアセンブリを解除（release）するために用いられる。
【課題を解決するための手段】
【０００６】
これは、請求項１に記載のスライドレールアセンブリにより実現される。従属請求項は、対応するさらなる展開及び改善に関連する。
【０００７】
下記の詳細な説明からより明らかに分かるように、本発明のスライドレールアセンブリは第１のレール、係合部材、第２のレール及びロック部材を含む。係合部材は第１のレールに配置されるとともに弾性部を含む。第２のレールは第１のレールに対して可動であり、ロック部材は第２のレールに可動に取り付けられる。第２のレールが第１のレールに対して第１の位置から第２の位置へと第１の方向に動かされた場合、第２の位置にある第２のレールが第１の方向と反対の第２の方向に動くのを防止されるようにロック部材を用いて係合部材の弾性部にロックする。
【図面の簡単な説明】
【０００８】
以下では、添付の図面を参照しながら本発明を例示的にさらに説明する。
【図１】図１は、本発明の一実施形態に係る伸長状態にあるスライドレールアセンブリを示す概略図である。
【図２】図２は、本発明の実施形態に係るスライドレールアセンブリを示す分解図である。
【図３】図３は、本発明の実施形態に係る、第２のレール及びスライドレールの関連部分を示す分解図である。
【図４】図４は、本発明の実施形態に係る、スライドレールの関連部分と共に組み立てられた第２のレールを所定の視角で示す図である。
【図５】図５は、本発明の実施形態に係る、スライドレールの関連部分と共に組み立てられた第２のレールを別の視角で示す図である。
【図６】図６は、本発明の実施形態に係る、引っ込められた状態にあるスライドレールアセンブリを示す図である。
【図７】図７は、図６の拡大領域Ａを示す図である。
【図８】図８は、図６の拡大領域Ｂを示す図である。
【図９】図９は、図６の拡大領域Ｃを示す図である。
【図１０】図１０は、第２のレールの同期部材とまだ接触していない第３のレールの一部を示す図６の部分拡大図である。
【図１１】図１１は、第２のレール及び第３のレールを第１のレールに対して第１の方向に同期的に動かすようにするために、第２のレールの同期部材と接触した第３のレールの部分を示す、本発明の実施形態に係る図である。
【図１２】図１２は、第１のレールに対して第１の方向に移動するスライドレールアセンブリの第２のレール及び第３のレールを示す本発明の実施形態に係る図であり、第２のレール及び第３のレールはもはや同期的に移動していない。
【図１３】図１３は、図１２の拡大領域Ａを示す図である。
【図１４】図１４は、図１２の拡大領域Ｂを示す図である。
【図１５】図１５は、スライドレールアセンブリの第２のレールが第１のレールに対して第２の位置にあり、第３のレールが第２のレールに対して第１の方向に移動可能な状態を示す、本発明の実施形態に係る図である。
【図１６】図１６は、図１５の拡大領域Ａを示す図である。
【図１７】図１７は、スライドレールアセンブリの第２のレールが第１のレールに対して第２の位置にあり、操作部材はロック解除部が係合部材と接触するように動作可能な状態を示す図である。
【図１８】図１８は、図１７の拡大領域Ａを示す図である。
【図１９】図１９は、スライドレールアセンブリの操作部材が、ロック解除部が係合部材を駆動し、それにより第２のレールと第１のレールとの間のロックを解除するように動作可能であることを示す、本発明の実施形態に係る図である。
【図２０】図２０は、スライドレールアセンブリの第２のレール及び第３のレールが、第１のレールに対して第２の方向に所定の範囲で引っ込められている状態を示す、本発明の実施形態に係る図である。
【図２１】図２１は、スライドレールアセンブリの第２のレールが第１のレールに対して第２の位置にあり、第３のレールが第２のレールに対して第１の方向に移動する状態を示す、本発明の実施形態に係る図である。
【図２２】図２２は、スライドレールアセンブリの第２のレールが第１のレールに対して第２の位置にあり、第３のレールは第２のレールに対して第１の方向に移動を続ける状態を示す、本発明の実施形態に係る図である。
【図２３】図２３は、スライドレールアセンブリの第２のレールが第１のレールに対して第２の位置にあり、第３のレールが第２のレールに対して伸長位置にある状態を示す、本発明の実施形態に係る図である。
【図２４】図２４は、スライドレールアセンブリの第２のレールが第１のレールに対して第２の位置にあり、伸長位置にある第３のレールが第１の方向にさらに移動できるように第３のレールの作用部材が第２のレールのブロック構造からロック解除されている状態を示す、本発明の実施形態に係る図である。
【図２５】図２５は、スライドレールアセンブリの第２のレールが第１のレールに対して第２の位置にあり、第３のレールが第２のレールから取り外された状態を示す、本発明の実施形態に係る図である。
【図２６】図２６は、狭い空間内にスライドレールアセンブリが適用され、スライドレールアセンブリが伸長状態にあることを示す、本発明の実施形態に係る図である。
【図２７】図２７は、狭い空間内にスライドレールアセンブリが適用され、第２のレールから第３のレールを取り外すことができるように、第２のレールが第１のレールに対して第２の方向に引っ込められた状態を示す、本発明の実施形態に係る図である。
【発明を実施するための形態】
【０００９】
図１及び図２に示すように、本発明の実施形態のスライドレールアセンブリ２０は第１のレール２２、係合部材２４、第２のレール２６、ロック部材２８を含む。スライドレールアセンブリ２０は、同期部材３０、第３のレール３２、操作部材３４をさらに含むことが好ましい。第２のレール２６は、第１のレール２２と第３のレール３２との間に可動に取り付けられている。
【００１０】
第１のレール２２は前端２２ａ及び後端２２ｂを有する。さらに、第１のレール２２は、第１の壁３６ａと、第２の壁３６ｂと、第１のレール２２の第１の壁３６ａ及び第２の壁３６ｂの間に接続された長手壁３８とを含む。第１のレール２２の第１の壁３６ａ、第２の壁３６ｂ及び長手壁３８は、第２のレール２６を取り付けるための第１の通路を共に定義する。第１のレール２２に対する第２のレール２６の動きを限られた範囲に制限するために、後方ブロック部４０及び前方ブロック部４２がそれぞれ後端２２ｂ及び前端２２ａに隣接して第１のレール２２に配置されることが好ましい。第１のレール２２はブロック部４４をさらに含むことが好ましい。以下では、ブロック部４４の一例として突起を示すが、本発明はこのような構成に限定されない。ブロック部４４はブロック部位４４ａを含む。
【００１１】
係合部材２４は、第１のレール２２の長手壁３８に配置される。係合部材２４は弾性部４６を含む。係合部材２４は、第１のレール２２の長手壁３８に（例えば、当接して）固定取り付けされた第１の接続部４８ａ及び第２の接続部４８ｂをさらに含むことが好ましく、弾性部４６は第１の接続部４８ａと第２の接続部４８ｂとの間に接続される。係合部材２４は、第１のガイド部５０ａ及び第２のガイド部５０ｂをさらに含み、弾性部４６の両端は、それぞれ第１のガイド部５０ａ及び第２のガイド部５０ｂを介して第１の接続部４８ａ及び第２の接続部４８ｂに接続されていることが好ましい。第１の接続部４８ａ及び第２の接続部４８ｂは、第１のレール２２の長手壁３８に当接することにより長手壁３８に固定接続されている。加えて、第１のガイド部５０ａ及び第２のガイド部５０ｂは傾斜面又は湾曲面を有する。
【００１２】
第２のレール２６は第１のレール２２と第３のレール３２との間に可動に取り付けられている。第２のレール２６は第１のレール２２に対して長手方向に動かすことができる。第２のレール２６は前端２６ａ及び後端２６ｂを有する。さらに、第２のレール２６は、第１の壁５２ａと、第２の壁５２ｂと、第２のレール２６の第１の壁５２ａ及び第２の壁５２ｂの間に接続された長手壁５４とを含む。第２のレール２６の第１の壁５２ａ、第２の壁５２ｂ及び長手壁５４は、第３のレール３２を取り付けるための第２の通路を共に定義する。
【００１３】
ロック部材２８及び同期部材３０は、第２のレール２６に可動に取り付けられている（図３、図４及び図５も参照されたい）。ロック部材２８及び同期部材３０は第２のレール２６に枢結されている。ここでは、共通軸５６を介して第２のレール２６の長手壁５４に枢結されたロック部材２８及び同期部材３０を一例として示す。軸５６の両端は、第２のレール２６の第１の壁５２ａ及び第２の壁５２ｂの方を向いており、第２のレール２６の長手壁５４は第２のレール２６の両側を貫通する開口５８を有する。ロック部材２８及び同期部材３０の位置は開口５８の位置と一致する。ロック部材２８の両端にはロック部２８ａ及びロック解除部２８ｂが配置され、ロック部材２８の中央部分が軸５６に枢動可能に接続されている。同期部材３０の両端には第１の接触部３０ａ及び第２の接触部３０ｂが設けられ、同期部材３０の中央部分も軸５６に枢動可能に接続されている。スライドレールアセンブリ２０は、第２のレール２６に取り付けられる弾性部材６０をさらに含むことが好ましい。弾性部材６０は、ロック部材２８及び同期部材３０にそれぞれ弾性力を提供する第１の弾性脚６０ａ及び第２の弾性脚６０ｂを有する。弾性部材６０は第２のレール２６の長手壁５４に固定接続され、第１の弾性脚６０ａ及び第２の弾性脚６０ｂは、長手壁５４に対して所定の角度で傾斜されていることが好ましい。第１の弾性脚６０ａは弾性力を提供し、ロック部材２８の一部をロック解除部２８ｂに隣接して当接させるのに対して、第２の弾性脚６０ｂは弾性力を提供し、同期部材３０の一部を第２の接触部３０ｂに隣接して当接させる。
【００１４】
第３のレール３２は第２のレール２６に対して長手方向に動かすことができる。第３のレール３２は前端３２ａ及び後端３２ｂを有する。さらに、第３のレール３２は第１の壁６２ａと、第２の壁６２ｂと、第３のレール３２の第１の壁６２ａ及び第２の壁６２ｂの間に接続された長手壁６４とを有する。加えて、第３のレール３２は、同期部材３０と協働する対応部６６を有する。本願では、対応部６６の一例として突起を示しているが、本発明はこのような構成に限定されない。
【００１５】
操作部材３４は第２のレール２６に配置される。操作部材３４は、第２のレール２６の長手壁５４の側面に可動に取り付けられる（例えば、第１のレール２２に面する側面に可動に取り付けられる）ことが好ましい。操作部材３４は長手方向に長さ（longitudinal  length）を有することが好ましい。操作部材３４はロック解除部３４ａ及び操作部３４ｂを有し、操作部３４ｂ及びロック解除部３４ａは（図１２に示すように）それらの間に所定の長手距離Ａを有する。ロック解除部３４ａの一例として突起を示しているが、本発明はこのような構成に限定されない。操作部材３４及び第２のレール２６は、複数の取り付け部材及び複数の長手ガイドスロットの協働構成を通じて互いに対して長手方向に移動することが好ましい。例えば、第１の取り付け部材３５ａは操作部材３４の第１の長手ガイドスロット３７ａの一部を通って第２のレール２６に接続され（図９も参照されたい）、第２の取り付け部材３５ｂは第２のレール２６の第２の長手ガイドスロット３７ｂの一部を通って操作部材３４に接続されている（図７も参照された）。このように、操作部材３４は第２のレール２６に対して限られた範囲で移動できる。本実施形態では、第１の長手ガイドスロット３７ａが操作部材３４に設けられ、第２の長手ガイドスロット３７ｂが第２のレール２６に設けられているが、本発明はこのような構成に限定されない。例えば、第１の長手ガイドスロット３７ａを第２のレール２６に設けることもでき、第２の長手ガイドスロット３７ｂを操作部材３４に設けることもできる。あるいは、実際的な要望に応じて、第１の長手ガイドスロット３７ａ及び第２の長手ガイドスロット３７ｂの双方を操作部材３４に設けるか又は第１の長手ガイドスロット３７ａ及び第２の長手ガイドスロット３７ｂの双方を第２のレール２６に設けることもできる。
【００１６】
スライドレールアセンブリ２０は補強部材６７をさらに含むことが好ましい。補強部材６７は第２のレール２６の長手壁５４に接続される。補強部材６７は、操作部材３４の少なくとも１つの取り付け開口６５に対応するとともに取り付け開口６５を通る少なくとも１つの突出部６７ａを有することが好ましい。少なくとも１つの突出部６７ａは、第２のレール２６の長手壁５４に接続（例えば、固定接続）されている。少なくとも１つの突出部６７ａの長手方向の長さは、少なくとも１つの取り付け開口６５の長手方向の長さよりも短い。このような構成では、補強部材６７は第２のレール２６の構造強度を補強するだけでなく、操作部材３４が操作された場合に操作部材３４の安定性及び信頼性も向上させる。
【００１７】
スライドレールアセンブリ２０は、第１の作用部材６８、第２の作用部材７０、ベース７２、第１の解除部材７４及び第２の解除部材７６をさらに含むことが好ましい。
【００１８】
第１の作用部材６８及び第２の作用部材７０は、第３のレール３２の長手壁６４に別個に且つ可動に接続される。本願では、第３のレール３２の長手壁６４に枢結された第１の作用部材６８及び第２の作用部材７０を一例として示す。他方、ベース７２は、第１の作用部材６８及び第２の作用部材７０が第１の状態／位置で維持されるように、第１の作用部材６８及び第２の作用部材７０にそれぞれ弾性力を提供する第１の弾性部７２ａ及び第２の弾性部７２ｂを含む。加えて、第１の作用部材６８及び第２の作用部材７０を第１の状態から別の状態／位置に変更できるように、第１の解除部材７４及び第２の解除部材７６は第１の作用部材６８及び第２の作用部材７０に接続されている。
【００１９】
図６に示すように、スライドレールアセンブリ２０は引っ込められた状態にある。さらに、第２のレール２６は第１のレール２２に対して第１の位置Ｐ１（例えば引っ込め位置）に引っ込められ、第３のレール３２は第２のレール２６に対して引っ込められている。
【００２０】
係合部材２４の弾性部４６は第１のレール２２の長手壁３８に対して高さＫ１を有し、係合部材２４の弾性部４６は係合区画４６ａを有する（図８を参照されたい）。一例として、係合区画４６ａは孔Ｈ（又はスロット）の壁であり得るが、本発明はそのような構成に限定されない。第１のガイド部５０ａ及び第２のガイド部５０ｂは弾性部４６に隣接する。
【００２１】
図６及び図１０に示すように、ロック部材２８及び同期部材３０は、軸５６を介して第２のレール２６に枢結されている。弾性部材６０の第１の弾性脚６０ａは、第１の弾性脚６０ａがロック解除部２８ｂに隣接するロック部材２８の一部に当接するように弾性力を提供し、ロック部材２８のロック部２８ａは、第１のレール２２のブロック部４４からオフセットされている。他方、弾性部材６０の第２の弾性脚６０ｂは、同期部材３０の第１の接触部３０ａが第１のレール２２のブロック部４４に対して傾斜し、第１のレール２２のブロック部４４からオフセットされるように第１の弾性脚６０ａが第２の接触部３０ｂに隣接する同期部材３０の一部に当接するように弾性力を提供する。
【００２２】
さらに、第２のレール２６が第１のレール２２に対して第１の位置Ｐ１にある場合、第１のレール２２の後方ブロック部４０は、第２のレール２６の後端２６ｂに対応する位置にあり、操作部材３４のロック解除部３４ａは、（図１２に示すように）係合部材２４の第１のガイド部５０ａから所定の長手方向距離Ｂ離れている。加えて、第２のレール２６が第１のレール２２に対して第１の位置Ｐ１にあり、第３のレール３２が第２のレール２６に対して引っ込められている場合、第３のレール３２の対応部６６を第２の接触部３０ｂに隣接する同期部材３０の伸長部３０ｃに押し付けることができる。このように、同期部材３０の第１の接触部３０ａは、第１のレール２２のブロック部４４からオフセットされた状態で留まることができる。伸長部３０ｃは、第２の接触部３０ｂと高さが異なり、第３のレール３２の対応部６６は、対応部６６が同期部材３０の第２の接触部３０ｂと係合できる位置にあることが好ましい。
【００２３】
図１１に示すように、第３のレール３２は、第２のレール２６を前述の第１の位置Ｐ１から第２の位置へと第１の方向Ｄ１（例えば開く方向）に同期部材３０を介して駆動することができる。即ち、第２のレール２６は、第１のレール２２に対して第１の位置Ｐ１から第１の方向Ｄ１に移動できる。さらに、第３のレール３２が第１の方向Ｄ１に動かされた場合、第３のレール３２の対応部６６は、第３のレール３２及び第２のレール２６が第１のレール２２に対して第１の方向Ｄ１に同期的に移動できるように同期部材３０の第２の接触部３０ｂに当接できる。
【００２４】
図１２に示すように、第２のレール２６が第３のレール３２と所定の範囲同期的に移動するように第３のレール３２により駆動されると、第３のレール３２及び第２のレール２６が同期的に移動しないように同期部材３０が係合部材２４のガイド部（例えば第１のガイド部５０ａ）によって駆動される。例えば、同期部材３０は、第１の接触部３０ａと係合部材２４の第１のガイド部５０ａとの接触を通じて所定の角度傾斜されるため（図１４を参照）、同期部材３０の第２の接触部３０ｂは第３のレール３２の対応部６６にもはや当接しておらず（図１３を参照）、第３のレール３２が第２のレール２６と同期的に移動しなくなる。弾性部材６０の第２の弾性脚６０ｂは同期部材３０が所定の角度傾斜することに対応して弾性力を蓄積する（図１３を参照）。他方、ロック部材２８のロック部２８ａは係合部材２４の第１のガイド部５０ａを登って係合部材２４の弾性部４６の係合区画４６ａに近づく（図１４を参照）。このとき、ロック部材２８は所定の角度で傾斜され、弾性部材６０の第１の弾性脚６０ａは、ロック部材２８が所定の角度で傾斜されることに対応して弾性力を蓄積する（図１３参照）。
【００２５】
図１５に示すように、第２のレール２６が第１のレール２２に対して第１の方向Ｄ１に動かされて第２の位置Ｐ２に到達すると、ロック部材２８は、第２の位置Ｐ２にある第２のレール２６が第１の方向Ｄ１と反対の第２の方向（例えば引っ込め方向）に動くのを防止するために係合部材２４の弾性部４６に固定される。例えば、弾性部材６０の第１の弾性脚６０ａが弾性力を放つのに対応して、ロック部材２８は、ロック部２８ａを通じて係合部材２４の孔Ｈに入り、係合部材２４の弾性部４６の係合区画４６ａに固定される。このとき、第２のレール２６は、第１のレール２２に対して第２の方向に引っ込めることができない（図１６を参照）。他方、第３のレール３２は、第２のレール２６に対して伸長位置へと第１の方向Ｄ１に動かすことができる（図１７を参照）。
【００２６】
図１５、図１７及び図１８に示すように、ロック部材２８と係合部材２４の弾性部４６との間の固定が解除される場合、ユーザーは、（図１７及び図１８に示すように）例えば操作部材３４を第２のレール２６に対して長手方向に移動させ且つ操作部材３４のロック解除部３４ａを係合部材２４の第１のガイド部５０ａと接触させるために、操作部材３４の操作部３４ｂに（図１５に示す）力Ｆを加えることにより操作部材３４を操作できる。力により操作部材３４が操作され続けると、操作部材３４のロック解除部３４ａからの圧力が係合部材２４の第１のガイド部５０ａにかけられ、係合部材２４の弾性部４６はロック解除部３４ａからの圧力に対応して高さＫ１から別のより低い高さＫ２に弾性変形するように駆動される（図１９を参照）。このように、係合部材２４の弾性部４６の係合区画４６ａは、ロック部材２８が係合部材２４の弾性部４６にもはや固定されなくなるようにするために、ロック部材２８のロック部２８ａから解放され得る。即ち、第２のレール２６を第２の位置Ｐ２から第２の方向に動かすことができる。
【００２７】
なお、第２のレール２６が第１のレール２２に対して第２の位置Ｐ２にある場合、ユーザーは、操作部材３４に力を加えてロック部材２８と係合部材２４の弾性部４６との間の固定を解除することができるだけでなく、ユーザーは同じ効果を得るために別の操作方法を用いることもできる。図１７に示すように、第３のレール３２が第２のレール２６に対して伸長位置にある場合、ユーザーは、第３のレール３２の後端３２ｂをロック部材２８のロック解除部２８ｂと接触させて、ロック部材２８のロック部２８ａを駆動し係合部材２４の弾性部４６の係合区画４６ａから解除することができるように第３のレール３２を第１の方向Ｄ１と反対の第２の方向（例えば引っ込め方向）に動かすことができる。このような操作の目的は、第２の位置Ｐ２にある第２のレール２６が第１のレール２２に対して第２の方向に動かすことができるようにロック部材２８と係合部材２４の弾性部４６との間の固定を解除するためである。
【００２８】
図２０に示すように、ブロック部４４は、ブロック部位４４ａと反対側又は他方側に配置されたガイド区画４４ｂ（本願ではガイド区画の一例として傾斜面又は湾曲面を示す）をさらに含むことが好ましい。第２の位置Ｐ２にある第２のレール２６が第１の位置Ｐ１に近い所定の位置Ｘへと第２の方向Ｄ２に動かされた場合、同期部材３０の第１の接触部３０ａは、ガイド区画４４ｂを第２の方向Ｄ２に横切る。ここで、同期部材３０の第１の接触部３０ａは弾性部材６０の第２の弾性脚６０ｂにより提供された弾性力に反応し、第２のレール２６が第１のレール２２のブロック部４４のブロック部位４４ａによってブロックされるようにすることで、所定位置Ｘにある第２のレール２６が第１のレール２２に対して第１の方向Ｄ１（開く方向）に動くのを防止する。
【００２９】
図２１に示すように、第２のレール２６は、第２のレール２６の前端２６ａに隣接して（固定されて）配置されたブロック構造２７を含む。加えて、第１の作用部材６８及び第２の作用部材７０は、それぞれベース７２の第１の弾性部７２ａ及び第２の弾性部７２ｂを介して第１の状態Ｓ１で維持される。第２のレール２６が第１のレール２２に対して第２の位置Ｐ２にあり、第３のレール３２が所定の範囲で伸長するために第２のレール２６に対して第１の方向Ｄ１に動かされると、第２の作用部材７０はブロック構造２７の第１の側Ｌ１と接触する。本実施形態では、第１の弾性部７２ａ及び第２の弾性部７２ｂはベース７２に設けられているが、本発明はこのような構成に限定されない。例えば、第１の弾性部７２ａ及び第２の弾性部７２ｂは、第３のレール３２に直接設けることもできる。即ち、ベース７２は、本発明では省略可能な構成要素である。
【００３０】
図２２に示すように、第３のレール３２が第２のレール２６に対して第１の方向Ｄ１に移動し続けると、第１の状態Ｓ１にある第２の作用部材７０は、第２の作用部材７０がブロック構造２７に当接することにより第２の状態Ｓ２になるように所定の角度傾斜できるため、第２の作用部材７０はブロック構造２７の第１の側Ｌ１を横切ることができる。ここで、ベース７２の第２の弾性部７２ｂは、第２の作用部材７０が所定の角度傾くことに反応して弾性力を蓄積する状態にある。
【００３１】
図２３に示すように、第３のレール３２が第２のレール２６に対して伸長位置Ｅへと第１の方向Ｄ１にさらに動かされると、第２の作用部材７０はブロック構造の第２の側Ｌ２にあり、ベース７２の第２の弾性部７２ｂが蓄積された弾性力を放つことに対応して第２の状態Ｓ２から第１の状態Ｓ１に戻る。他方、第１の作用部材６８は第１の状態Ｓ１にあり、ブロック構造２７の第１の側Ｌ１に位置する。即ち、第１の作用部材６８及び第２の作用部材７０は第１の状態Ｓ１にあり、伸長位置Ｅにある第３のレール３２が第２のレール２６に対して第１の方向Ｄ１に又は第２の方向Ｄ２に動くのを防止するためにブロック構造２７のいずれかの側でブロック構造２７によってブロックされる。このとき、スライドレールアセンブリ２０は伸長状態にある。
【００３２】
図２４に示すように、伸長位置Ｅにある第３のレール３２が第２のレール２６に対して第１の方向Ｄ１又は第２の方向Ｄ２に動かす場合、ユーザーは、伸長位置Ｅにある第３のレール３２を第２のレール２６に対して第１の方向Ｄ１に動かすため第１の解除部材７４を用いて第１の作用部材６８を第１の状態Ｓ１から第２の状態Ｓ２に駆動させることができる。あるいは、ユーザーは、伸長位置Ｅにある第３のレール３２を第２のレール２６に対して第２の方向Ｄ２に動かすため第２の解除部材７６を用いて第２の作用部材７０を第１の状態Ｓ１から第２の状態Ｓ２に駆動させることができる。本願では、延長位置Ｅにあり、第２のレール２６に対して第１の方向Ｄ１に動かすことができるとともに第２のレール２６の第２の通路から解放される第３のレール３２を一例として示す（図２５を参照）。即ち、第３のレール３２は、第２のレール２６から取り外すことができる。
【００３３】
図２６及び図２７に示すように、第３のレール３２は保持物体７８（例えば、電子機器、引出し等）を保持することができる。スライドレールアセンブリ２０が作業環境８０に適用された場合、作業環境８０とスライドレールアセンブリ２０との間の空間Ｙが狭すぎることがあり得る。そのため、スライドレールアセンブリ２０が伸長状態にある場合（例えば、第２のレール２６が第１のレール２２に対して第２の位置Ｐ２にあり、第３のレール３２が第２のレール２６に対して伸長位置Ｅにある場合）、第３のレール３２を第２のレール２６に対して伸長位置Ｅから第１の方向Ｄ１に取り外すのが困難な場合がある。そのため、限られた空間Ｙで作業する場合、ユーザーは、例えば、操作部材３４を通じて係合部材２４の弾性部４６とロック部材２８との間の固定を解除でき、それにより第２の位置Ｐ２にある第２のレール２６を（図２７に示すように）第１のレール２２に対して第２の方向Ｄ２に動かすか又は引っ込めることができ、第３のレール３２及び保持物体７８を取り外すことができる。このように、第３のレール３２、保持物体７８又はスライドレールアセンブリ２０のメンテナンス工程を改善できる。
【００３４】
したがって、本発明の実施形態に係るスライドレールアセンブリ２０は以下の特徴を含む。
【００３５】
１）係合部材２４は、第２のレール２６が第２の位置Ｐ２にある場合に、第２のレール２６と第１のレール２２との間の固定を解除するように動作させることができる弾性部材または弾力部材として見ることができる。
【００３６】
２）ユーザーは、第２のレール２６が第２の位置Ｐ２にある場合に、操作部材３４のロック解除部３４ａを通じて又は第２のレール２６に対して第３のレール３２を第２の方向Ｄ２に動かすことを通じて第２のレール２６と第１のレール２２との間の固定を解除できる。
【００３７】
３）補強部材６７は第２のレール２６の構造強度を補強するだけでなく、操作部材３４が操作されたときの操作部材３４の安定性及び信頼性も向上させる。
【００３８】
４）第２のレール２６が第１のレール２２に対して所定の位置Ｘにある場合、弾性部材６０の第２の弾性脚６０ｂは、同期部材３０がブロック部４４によってブロックされるように同期部材３０に弾性力を提供でき、それにより所定の位置Ｘにある第２のレール２６が第１の方向Ｄ１に動くのが防止される。即ち、第３のレール３２が第１の方向Ｄ１で取り外された場合、第２のレール２６は、スライドレールアセンブリ２０が狭い空間内で使用されるように第１の方向Ｄ１に伸長しないか又は移動しない。
【００３９】
５）ユーザーは、延長位置Ｅにある第３のレール３２を第２のレール２６に対して第１の方向Ｄ１に動かして第２のレール２６から取り外すために、第１の解除部材７４を通じて第１の作用部材６８を駆動して第１の状態Ｓ１から第２の状態Ｓ２に変化させることができる。
【符号の説明】
【００４０】
２０  スライドレールアセンブリ
２２  第１のレール
２４  係合部材
２６  第２のレール
２８  ロック部材
３０  同期部材
３２  第３のレール
３４  操作部材
４４  ブロック部
４６  弾性部
６０  弾性部材
６８、７０  作用部材
７４、７６  解除部材
【図１】
2020182821.tif 000003
【図２】
2020182821.tif 000004
【図３】
2020182821.tif 000005
【図４】
2020182821.tif 000006
【図５】
2020182821.tif 000007
【図６】
2020182821.tif 000008
【図７】
2020182821.tif 000009
【図８】
2020182821.tif 000010
【図９】
2020182821.tif 000011
【図１０】
2020182821.tif 000012
【図１１】
2020182821.tif 000013
【図１２】
2020182821.tif 000014
【図１３】
2020182821.tif 000015
【図１４】
2020182821.tif 000016
【図１５】
2020182821.tif 000017
【図１６】
2020182821.tif 000018
【図１７】
2020182821.tif 000019
【図１８】
2020182821.tif 000020
【図１９】
2020182821.tif 000021
【図２０】
2020182821.tif 000022
【図２１】
2020182821.tif 000023
【図２２】
2020182821.tif 000024
【図２３】
2020182821.tif 000025
【図２４】
2020182821.tif 000026
【図２５】
2020182821.tif 000027
【図２６】
2020182821.tif 000028
【図２７】
2020182821.tif 000029